(57)【要約】【課題】落下等の衝撃から測定テープ先端に取り付けたＬ形フックの破損を防止している巻尺を提供することを目的とする。【解決手段】測定テープ先端に設けられたＬ形フック全体が測定テープ収納時に本体ケース外枠よりはみ出さない構造の本体ケースに格納可能な巻尺。【選択図】図２
2010210614.tif 000002
【特許請求の範囲】
【請求項１】
測定テープを引き出す際に巻き戻しバネを巻縮め、その復元力により測定テープを巻き戻す構造の巻尺において、測定テープ先端に設けられたＬ形フック全体が測定テープ収納時に本体ケース外枠よりはみ出さない構造の本体ケースに格納可能な巻尺。
【請求項２】
上記、巻尺において、本体ケース底部には、Ｌ形フックが測定テープの繰り出し時や巻き戻し時に移動できる溝を設けられていることを特徴とする請求項１の巻尺。
【請求項３】
上記、巻尺において、測定テープ収納時にＬ形フックが本体ケース底部の溝中にあることを特徴とする請求項１または請求項２の巻尺。
【発明の詳細な説明】
【技術分野】
【０００１】本発明は、落下等の衝撃から測定テープ先端に取り付けたＬ形フックの破損を防止している巻尺に関するものである。
【背景技術】
【０００２】従来、巻尺の使用に際し、落下時の衝撃から測定テープ先端に取り付けられたＬ形フックの破損を防止する構造のものがある（例えば、特許文献１参照）。この巻尺の構造は測定テープの出入口を上方向に広げ、落下時にＬ形フックが受ける衝撃を上方向に逃がすように工夫されている。【０００３】しかし、この巻尺のＬ形フックはテープ出入口に巻き戻された状態において、ケース本体の低部より下方に突出しているので、落下方向によっては衝撃を緩和することができない。それは下側からの衝撃を逃がす為に、Ｌ形フックの上部には移動できる隙間を設けてあって、下方向からの衝撃には対処しているが、Ｌ形フックの前面からの衝撃の場合は、Ｌ形フックを係止する部材によって固定された如く、上部には移動できなくなってＬ形フックは落下の衝撃を受けることになる。
【特許文献１】特許公開２００４−２０１９７号公報（請求項１、図１）
【発明の開示】
【発明が解決しようとする課題】
【０００４】巻尺のＬ形フックは、測定テープの先端に取り付けられ被測定物の外寸を測る時は被測定物の外側にＬ形フックの内側で引っ掛けて測定し（図１０のａ）、内寸を測る時はＬ形フックの先端で被測定物の内側に突き当て使用するものである（図１０のｂ）。【０００５】上記の測定テープ先端に取り付けられたＬ形フックは巻尺のゼロ原点である。被測定物の外側寸法測定の時と、内側寸法測定の時のＬ形フックは同一のものであって、そのゼロ調整はＬ形フックと測定テープの接続部分でＬ形フックの材料の厚み分を調整するようになっている。その調整方法は、図１０の（ａ）、（ｂ）で示すように測定テープの先端にＬ形フックを接続するときＬ形フック側の取り付け穴をＬ形フックの材料の厚み分と同じだけ移動できるような大きさに楕円状に開けられている。外側寸法測定のときのゼロ原点は、Ｌ形フックの内側であるゼロ原点１２ａとなり内側寸法測定の時のゼロ原点は、Ｌ形フックの外側つまりテープ先端であるゼロ原点１２ｂとなる。【０００６】巻尺はＪＩＳ規格によって製造されている。しかし巻尺を落としたりすれば、場合によってはＬ形フックが歪み正確にゼロ原点を示せなくなる。【０００７】本発明は上記実情により考えられたものであり、測定テープが巻き戻された状態において、巻尺の落下等によって測定テープ先端に取り付けられたＬ形フックがどの方向からも衝撃を受けない巻尺を提供することを目的としている。
【課題を解決するための手段】
【０００８】本発明は、測定テープを引き出す際に巻き戻しバネを巻縮め、その復元力により測定テープを巻き戻す構造の巻尺において、測定テープ先端に設けられたＬ形フックが落下等によって破損を防止するために、Ｌ形フック全体が測定テープ収納時に本体ケース外枠よりはみ出さない構造の本体ケースに格納したので、巻尺がどのような角度で落下してもＬ形フックは衝撃を受けないようになる。【０００９】これは、本体ケース底部には、Ｌ形フックが測定テープの繰り出し時や巻き戻し時に移動できる溝が設けられ、その溝中にＬ形フックが係止されているので落下等による破損を防止することができる。巻尺の使用に際しては本体ケース底部に設けられた溝中に係止されたＬ形フックを溝に沿って引き出すことができる。
【発明の効果】
【００１０】請求項１の発明に係る巻尺において、測定テープが巻き戻され、測定テープ先端に有するＬ形フックによって停止した状態で、平らなところに置いた時、巻尺は真っ直ぐに立ち巻尺の下側にはＬ形フックが出ていないことがわかる。また、Ｌ形フックは本体ケースのテープ出入口側（図８）からと本体ケースの底部側（図７）から見えるだけである。【００１１】本体ケースのテープ出入口側（図８）から見えるのは、テープ出入口より奥に移動して停止位置にあるＬ形フックは落下時の衝撃は受けないし、底部側（図７）から見えるＬ形フックは、測定テープを引き出す際そのＬ形フックに指を掛けやすいようにテープ停止位置から下方に突き出しているが本体ケース外枠よりはみ出していない。測定テープ２に平行な両面の壁によって保護されて溝に嵌った状態になっていてＬ形フックは落下等の衝撃による破損を防止することができる。【００１２】従来の巻尺では、寸法測定に際し、Ｌ形フックは測定テープを引き出し易いように本体ケースの角に停止するような構造（図１１）であり、しかもその位置で下方にむかって指を掛けやすくＬ形フックが出ていた。その為、落下等の衝撃によってＬ形フックが歪んだりして正確な寸法が測れなくなってしまう。本発明の巻尺の使用方法は、従来、テープ出入口にあった下向きのＬ形フックを引出す様に指で本体ケースの中央付近から底部をなぞってＬ形フックに指を掛け測定テープを引き出して使用することができる。
【発明を実施するための最良の形態】
【実施例１】
【００１３】本発明の実施の形態について、図面に基づいて説明する。図１は本発明の巻尺の実施形態を示す分解斜視図であり、本図は本体ケース１を本体裏側ケース１ａと本体表側ケース１ｂに分割し、その内部の組み立てを表わしたものである。内部の回転ドラム４には測定テープ２を巻取る付勢手段となるコイルバネが内装され組み立て時には、コイルバネを作用させ回転ドラム軸３ａに係止される。コイルバネの作用によりコイルバネに接続された測定テープ２が巻きこまれる。【００１４】測定テープ２の先端部には、テープガイド５を通して測定テープ２の基点となるＬ形フック６が取り付けられている。テープガイド５は一体成型されているので、測定テープ２の先端にＬ形フック６を取り付けのとき、測定テープ２をテープガイド５の中を通して置く必要がある。【００１５】回転ドラム４に巻込まれた測定テープ２の先端部Ｌ形フック６の係止は、テープガイド５をテープガイド軸５ａに取り付けバネ用軸８にバネ９を取り付け作用させる。図２の正面図は測定テープ２が全て回転ドラム４に巻きこまれ、テープガイド５によって先端のＬ形フック６が係止された状態である。【００１６】図３、図４拡大図のテープガイド５は、テープガイド軸５ａを中心に左右に移動する状態を表わす。図３は、測定テープ２がコイルバネによって全て巻きこまれ、Ｌ形フック６がテープガイド５によって係止された状態である。続く図４は、測定テープ２を繰出した状態で、この時テープガイド５はＬ形フック６から解放されバネ９によって測定テープ出入口側に移動する。【００１７】テープガイド５の左右の移動は、本巻尺による測定の際、本体ケース底部面の溝を指でなぞるようにしてＬ形フック６を左側にスライドして測定テープ２を引き出す。この測定テープ２が繰出しされた時にはテープガイド５はバネ９によって左に移動し測定テープ２の直線状態を維持し、本体ケースの測定テープ出入口７付近のケース角部に接触して測定テープ２の表面の印刷を傷めないようになる。【００１８】次に、巻尺による測定が終了して測定テープ２をケース内に収容する際は手によって停止させられている測定テープ２の制動を解除することにより、測定テープ２は回転ドラム４に内装されたコイルバネによって自動的に巻取られ、測定テープ２の先端のＬ形フック６がテープガイド５で係止する。この時、コイルバネによって巻取られてきたＬ形フック６は、相当な速度でテープガイド５に衝突するが、バネ９によって左にあったテープガイド５によって衝突エネルギーを緩衝される。【００１９】図５〜図９は、本発明の巻尺の外観図で順に平面図、正面図、底面図、左側面図、右側面図である。この外観図は本発明の（特許請求の範囲）落下等の衝撃から測定テープの先端に取り付けたＬ形フックの破損を防止するため、Ｌ形フック全体が本体ケース外枠よりはみ出さない工夫を示す。【００２０】図７は、本体ケース１の底部で底板は中央付近から測定テープ出入口７の方向に開かれ、測定テープ２の先端に取り付けられたＬ形フック６の下向きの爪が、テープの繰り出し時や巻戻し時に移動できるように溝になっている。このＬ形フック６の下向きの爪は溝より短くなっているが、テープ繰り出しのときには指で溝をなぞるようにしてＬ形フック６の爪に掛け引き出すことができる。【００２１】図８は、本体ケース１の左側面で測定−テープ出入口７の見える面を表わす。この面からは、測定テープ２が巻戻された状態でＬ形フック６が見えるが、本体ケース１の表ケース１ｂ、裏ケース１ａによって作られた溝の中でテープガイド５によって係止されている。【００２２】これら外観図から、どの面に対してもＬ形フック６の爪が出てなく、落下等の衝撃から守られていて、使用に際してはＬ形フック６が本体ケース１の中にあっても差し支えないことが解る。
【実施例２】
【００２３】図１２は本発明の第２の実施形態の巻尺を示す。実施例１の巻尺のテープ出入り口付近を変更した図面である。テープガイド５の代わりにテープ出入り口の上側７ａと下側７ｂとの並行面を長くして、高速で巻きこまれる測定テープの振れを無くす事によってテープが折れたりねじれたりしなくなり、スムーズに回転ドラム４に巻きこむことができる。本発明の趣旨である落下による衝撃を受けない構造で、部品点数も少なく簡単な構造であるので経済的にも有利である。
【図面の簡単な説明】
【００２４】
【図１】本発明の巻尺の実施例を表わす分解斜視図である。
【図２】図１の巻尺を、本体表側ケース１ｂを取り除いた状態で示す正面図である。
【図３】図２の測定テープ出入口付近そ示す一部拡大図面である。（テープガイド５のみＸ−Ｘ線断面図である。）
【図４】図３の測定テープの繰出状態を示す同様図である。
【図５】図１の巻尺における外観の平面図である。
【図６】図１の巻尺における外観の正面図である。
【図７】図１の巻尺における外観の底面図である。
【図８】図１の巻尺における外観の左側面図である。
【図９】図１の巻尺における外観の右側面図である。
【図１０】（ａ）外側測定時  Ｌ形フックのゼロ原点の調整を示す断面図である。
【図１０】（ｂ）内側測定時  Ｌ形フックのゼロ原点の調整を示す断面図である。
【図１１】従来の巻尺のＬ形フック停止位置を表わす一部展開図である。
【図１２】実施例２を示す正面図（Ｌ形フック付近の拡大図）
【符号の説明】
【００２５】１  本体ケース
１ａ  本体裏側ケース
１ｂ  本体表側ケース
２  測定テープ
３  回転ドラム軸穴
３ａ  回転ドラム軸
３ｂ  ビス穴
４  回転ドラム
５  テープガイド
５ａ  テープガイド用軸
５ｂ  ビス穴
６  Ｌ形フック
７  測定テープ出入口
７ａ  測定テープ出入口上側
７ｂ  測定テープ出入口下側
８  バネ用軸
９  バネ
１０  バネ止め
１１  Ｌ形フック取り付けピン
１２ａ  外側測定時の巻尺のゼロ原点
１２ｂ  内側測定時の巻尺のゼロ原点
【図１】
2010210614.tif 000003
【図２】
2010210614.tif 000004
【図３】
2010210614.tif 000005
【図４】
2010210614.tif 000006
【図５】
2010210614.tif 000007
【図６】
2010210614.tif 000008
【図７】
2010210614.tif 000009
【図８】
2010210614.tif 000010
【図９】
2010210614.tif 000011
【図１０】
2010210614.tif 000012
【図１１】
2010210614.tif 000013
【図１２】
2010210614.tif 000014